(57)【要約】【課題】小さい子供の排便姿勢の形成を補助する。【解決手段】子供用排便補助具５で、洋式便器１の便器本体２の前部に取り外し可能に配置される固定部材６と、その固定部材６に上下方向において位置調整可能に取り付けられる足載せ部材７とを有する。固定部材６は、それぞれ被係合部６Ｃが上下方向に一定間隔で対応して設けられているものである。足載せ部材７は、弾性変形可能である線材で形成され、コの字形状の本体部７Ａと、本体部７Ａの端部に設けられ被係合部６Ｃに係脱可能に係合する係合部７Ｂとを有する。被係合部６Ｃと係合部７Ｂとは、それらの係合状態において、本体部７Ａが前方に突出した使用可状態と、本体部７Ａが固定部材６に沿った収納状態とを選択的に取り得る。【選択図】図１
2017070615.tif 000002
【特許請求の範囲】
【請求項１】
洋式便器に隣接して設けられ子供の排便を補助する子供用排便補助具であって、
前記洋式便器の便器本体前部に取り外し可能に配置され上下方向に延びる左右の固定柱部を有する固定部材と、
前記左右の固定柱部の間に取り付けられ上下方向において位置調整可能で、かつ一部又は全部が取り外し可能である足載せ部材とを備えることを特徴とする子供用排便補助具。
【請求項２】
前記左右の固定柱部には、それぞれ被係合部が互いに対応して一定間隔でもって設けられているものであり、
前記足載せ部材は、弾性変形可能である線材で形成され、コの字形状の本体部と、前記本体部の各端部に設けられ前記被係合部に係脱可能に係合する係合部とを有する足載せ部を備えるものであり、
前記被係合部と前記係合部とは、それらの係合状態において、前記本体部が前方に突出している使用可能状態と、前記本体部が前記左右の固定柱部に沿う収納状態を選択的に取り得ることを特徴とする請求項１記載の子供用排便補助具。
【請求項３】
前記左右の固定柱部は、上端部どうしが前記洋式便器の便器本体と便座との間に挟まれる被挟持部にて結合されていることを特徴とする請求項１又は２に記載の子供用排便補助具。
【請求項４】
前記左右の固定柱部は、前記被係合部が設けられている部位で、左右方向に延びる補強部にて結合されていることを特徴とする請求項１〜３のいずれかに記載の子供用排便補助具。
【請求項５】
前記被係合部は、係止穴であり、
前記係合部は、前記係止穴に取り外し可能に係止される係止爪部であることを特徴とする請求項２記載の子供用排便補助具。
【請求項６】
前記左右の固定柱部は、下端にねじ込まれねじ込み量を変えることで前記固定柱部の上下方向の長さを変更できる支持脚を有することを特徴とする請求項１〜５のいずれか１つに記載の子供用排便補助具。
【請求項７】
前記足載せ部材は、弾性変形可能である断面矩形状の線状材で形成され、コの字形状の本体部と、前記本体部の各端部に設けられ前記被係合部に係脱可能に係合する係合部とを有する足載せ部と、被係合孔を有し前記係合部が前記被係合孔に係脱可能に係合される可動部とを備えるものであり、
前記可動部は、前記固定柱部の所定位置に移動不能にロック可能であることを特徴とする請求項１記載の子供用排便補助具。
【請求項８】
前記左右の固定柱部には、それぞれ係合凹部が互いに対応して一定間隔でもって形成されており、
前記可動部は、前記係合凹部に対応して設けられるねじ孔と、前記ねじ孔にねじ込まれ先端部を前記係合凹部に係合させることで前記可動部をロックするロックねじとを有することを特徴とする請求項７記載の子供用排便補助具
【請求項９】
前記左右の固定柱部には、複数の係合溝が上下方向に一定間隔で形成されており、
前記可動部は、前記固定柱部の外側に移動可能に挿入され前記固定柱部の係合溝に係脱可能に弾性的に係合する係合爪を有することを特徴とする請求項７記載の子供用排便補助具。
【請求項１０】
前記左右の固定柱部は、円柱状または円筒状の部材であり、
前記可動部は、前記固定柱部の外側に移動可能に挿入される本体部と、前記本体部に回転可能に支持され押圧突部を有する回転レバー部とを有し、前記回転レバーの回転により、前記押圧突部が前記本体部の一部を前記固定柱部の外側面に押し付けて前記本体部を移動不能とするロック状態と、前記押圧突部の前記本体部の一部への押し付けを解除し前記本体部が前記固定柱部の外側を移動可能となる移動可能状態とを選択的に取り得る構成とされていることを特徴とする請求項７記載の子供用排便補助具。
【発明の詳細な説明】
【技術分野】
【０００１】
本発明は、小さい子供（特に、幼児）の排便が容易となる子供用排便補助具に関する。
【背景技術】
【０００２】
一般に、洋式便器は、平均的な体型の大人が使用することを前提として設計され、平均的な体型の大人が使用し易い大きさに形成されている。そのため、小さい子供がそのような洋式便器で排便をする場合には、大人に比べて足が短く小さい体型であるため、足が床面から浮いた状態となる。つまり、安定した排便姿勢をとることができず、不安定な排便姿勢で排便することになる。
【０００３】
また、排便姿勢の形成を補助する補助具として、洋式便器に隣接して足置き台を配置することは既に知られている（例えば、特許文献１参照）。
【先行技術文献】
【特許文献】
【０００４】
【特許文献１】特許第３５３８４２３号公報（段落００２２，図１２）
【発明の概要】
【発明が解決しようとする課題】
【０００５】
前記特許文献１記載の足置き台は、洋式便器とは離れた位置に配置されるので、平均的な体型の大人の排便姿勢の形成を補助することはできても、体型が小さく足が短い子供の排便姿勢の形成を補助することはできない。
【０００６】
本発明は、小さい子供（特に、幼児）の排便姿勢の形成を補助することができる子供用排便補助具を提供する。
【課題を解決するための手段】
【０００７】
請求項１の発明は、洋式便器に隣接して設けられ子供の排便を補助する子供用排便補助具であって、前記洋式便器の便器本体前部に取り外し可能に配置され上下方向に延びる左右の固定柱部を有する固定部材と、前記左右の固定柱部の間に取り付けられ上下方向において位置調整可能で、かつ一部又は全部が取り外し可能である足載せ部材とを備えることを特徴とする。
【０００８】
請求項１の発明によれば、排便時に子供が足載せ部材の上に足を載せることができるので、子供は安定した排便姿勢で排便することができる。そして、固定部材は、取り外し可能であるので、子供が使用しないときには足載せ部材と一緒に取り外しておけるので、大人の使用に悪影響を及ぼすことはない。また、足載せ部材は、前記各固定部材に、一部又は全部が取り外し可能に取り付けられているので、固定部材を残したまま、大人の使用に悪影響を及ぼすことはないようにすることもできる。
【０００９】
さらに、足載せ部材は上下方向において位置調整可能であるので、子供の成長に合わせて位置を調整することができ、子供の成長度合いにかかわりなく、いつでも安定した排便姿勢で排便することができる。
【００１０】
この場合、請求項２に記載のように、前記左右の固定柱部には、それぞれ被係合部が互いに対応して一定間隔でもって設けられているものであり、前記足載せ部材は、弾性変形可能である線材で形成され、コの字形状の本体部と、前記本体部の各端部に設けられ前記被係合部に係脱可能に係合する係合部とを有する足載せ部を備えるものであり、前記被係合部と前記係合部とは、それらの係合状態において、前記本体部が前方に突出している使用可能状態と、前記本体部が前記左右の固定柱部に沿う収納状態を選択的に取り得る、構成とすることができる。
【００１１】
また、請求項３に記載のように、前記左右の固定柱部は、上端部どうしが前記洋式便器の便器本体と便座との間に挟まれる被挟持部にて結合されている、構成とすることができる。
【００１２】
請求項４に記載のように、前記左右の固定柱部は、前記被係合部が設けられている部位で、左右方向に延びる補強部にて結合されている、構成としてもよい。
【００１３】
請求項５に記載のように、前記被係合部は、係止穴であり、前記係合部は、前記係止穴に取り外し可能に係止される係止爪部である、構成とすることができる。
【００１４】
請求項６に記載のように、前記左右の固定柱部は、下端にねじ込まれねじ込み量を変えることで前記固定柱部の上下方向の長さを変更できる支持脚を有する、構成とすることも可能である。
【００１５】
請求項７に記載のように、前記足載せ部材は、弾性変形可能である断面矩形状の線状材で形成され、コの字形状の本体部と、前記本体部の各端部に設けられ前記被係合部に係脱可能に係合する係合部とを有する足載せ部と、被係合孔を有し前記係合部が前記被係合孔に係脱可能に係合される可動部とを備えるものであり、前記可動部は、前記固定柱部の所定位置に移動不能にロック可能である、ことが望ましい。
【００１６】
請求項８に記載のように、前記左右の固定柱部には、それぞれ係合凹部が互いに対応して一定間隔でもって形成されており、前記可動部は、前記係合凹部に対応して設けられるねじ孔と、前記ねじ孔にねじ込まれ先端部を前記係合凹部に係合させることで前記可動部をロックするロックねじとを有する、構成としてもよい。
【００１７】
請求項９に記載のように、前記左右の固定柱部には、複数の係合溝が上下方向に一定間隔で形成されており、前記可動部は、前記固定柱部の外側に移動可能に挿入され前記固定柱部の係合溝に係脱可能に弾性的に係合する係合爪を有する、構成とすることができる。
【００１８】
請求項１０に記載のように、前記左右の固定柱部は、円柱状または円筒状の部材であり、前記可動部は、前記固定柱部の外側に移動可能に挿入される本体部と、前記本体部に回転可能に支持され押圧突部を有する回転レバー部とを有し、前記回転レバーの回転により、前記押圧突部が前記本体部の一部を前記固定柱部の外側面に押し付けて前記本体部を移動不能とするロック状態と、前記押圧突部の前記本体部の一部への押し付けを解除し前記本体部が前記固定柱部の外側を移動可能となる移動可能状態とを選択的に取り得る構成とされている、構成とすることができる。
【発明の効果】
【００１９】
本発明は、排便時に子供が本体部の上に足を載せることができるので、安定した排便姿勢で排便することができる。そして、固定部材は取り外し可能であり、足載せ部材は一部又は全部が取り外し可能であるので、足載せ部材を子供が使用しないときには取り外しておけるので、大人の使用に悪影響を及ぼすことはない。また、足載せ部材は上下方向において位置調整が可能であるので、子供の成長に合わせて位置を調整することができ、子供の成長度合いにかかわりなく、いつでも安定した排便姿勢で排便することができる。
【図面の簡単な説明】
【００２０】
【図１】本発明に係る子供用排便補助具の第１の実施の形態の全体構造を示す斜視図である。
【図２】前記第１の実施の形態の全体構造を示す正面図である。
【図３】前記第１の実施の形態における要部拡大図である。
【図４】子供用排便補助具の第２の実施の形態を示す正面図である。
【図５】（ａ）は前記第２の実施の形態の足載せ部を示す斜視図、（ｂ）は足載せ部の可動部への取付構造を示す説明図である。
【図６】子供用排便補助具の第３の実施の形態を示す斜視図である。
【図７】前記第３の実施の形態における固定部材の上部の支持状態を示す説明図である。
【図８】前記固定部材の固定柱部への足載せ部材の係合状態を示す説明図である。
【図９】第４の実施の形態の全体構造を示す説明図である。
【図１０】（ａ）は固定部材の固定柱部と可動部材との関係を示す説明図、（ｂ）は図１０（ａ）のＡ−Ａ線における断面図である。
【図１１】（ａ）（ｂ）はそれぞれ変形例の正面図及び平面図である。
【発明を実施するための形態】
【００２１】
以下、本発明の実施の形態を図面に沿って説明する。
（第１の実施の形態）
図１は本発明に係る子供用排便補助具の第１の実施の形態の全体構造を示す斜視図、図２は前記第１の実施の形態の全体構造を示す正面図、図３は前記第１の実施の形態における要部拡大図である。
【００２２】
図１に示すように、洋式便器１は、便器本体２の上側に便座３が設けられている。便器本体２には、蓋４が開閉可能に枢着されている。
【００２３】
この洋式便器１（便器本体２）の前側に隣接して、子供用排便補助具５が設置されている。この子供用排便補助具５は、便器本体２の前部に取り外し可能に配置される固定部材６と、その固定部材６に上下方向において位置調整可能に取り付けられる足載せ部材７とを有する。
【００２４】
固定部材６は、線材で形成され、上下方向に平行に延びる、左右２本の第１の線状部６Ａ，６Ａ（固定柱部）と、第１の線状部６Ａ，６Ａに対し上下方向に一定間隔で設けられ第１の線状部６Ａ，６Ａを結合する水平方向の第２の線状部６Ｂ，・・・（補強部）とを有する。そして、第１の線状部６Ａ，６Ａの上端部どうしを結合する、最も上側の第２の線状部６Ｂ（被挟持部）が便器本体２と便座３との間に挟まれ、固定部材６上部を支持するようになっている。第１の線状部６Ａの下端部には、支持脚８がねじ込まれ、第１の線状部６Ａへのねじ込み量を変えることで固定部材６の上下方向の長さを調整できるようになっている。
【００２５】
各第２の線状部６Ｂは、中央部６Ｂａの両側に、第１の線状部６Ａに結合される湾曲端部６Ｂｂを有し、第１の線状部６Ａとの結合で環状部分となる被係合部６Ｃが形成されている。これにより複数の左右１対の被係合部６Ｃが上下方向に互いに対応して一定間隔で設けられている。そして、被係合部６Ｃが設けられている部位で、左右方向に延びる中央部６Ｂａ（補強部）によって第１の線状部６Ａ，６Ａが結合されている。固定部材６全体として一定の剛性が確保されるようになっている。
【００２６】
足載せ部材７は、図３に示すように、弾性変形可能である線材で形成され、コの字形状の本体部７Ａと、本体部７Ａの端部に設けられ被係合部６Ｃに係脱可能に係合する係合部７Ｂとを有する。係合部７Ｂは、側方に突出する係合端部７Ｂａを有し、直線状の係合端部７Ｂａと本体部７Ａの端部とが、本体部７Ａの端部から本体部７Ａの幅の範囲内で本体部７Ａ側に湾曲して延びる湾曲部７Ｂｂを介して連接されている。この係合端部７Ｂａが被係合部６Ｃを内側から外側に向けて貫通することで不用意に外れないように係脱可能に係合される。
【００２７】
そして、被係合部６Ｃと係合部７Ｂとは、それらの係合状態で、湾曲部７Ｂｂが被係合部６Ｃに当たることで係止され本体部７Ａが前方に突出した状態である使用可能位置（図３実線参照）と、本体部７Ｂが固定部材６に沿った状態となる収納位置（図３鎖線参照）とを選択的に取り得る構成とされている。
【００２８】
足載せ部材７は、本体部７Ａの両側部を互いに内方に押し寄せることで弾性変形させることができ、そのように弾性変形させることで足載せ部材７を固定部材６に取り付けたり固定部材６から取り外したりすることができる。
（第２の実施の形態）
図４は子供用排便補助具の第２の実施の形態を示す正面図、図５（ａ）は前記第２の実施の形態の足載せ部を示す斜視図、図５（ｂ）は足載せ部の可動部への取付構造を示す説明図である。
【００２９】
図４に示すように、子供用排便補助具５Ａの固定部材１１は、便器本体２と便座３との間に挟まれる本体部１１Ａと、本体部１１Ａから便器本体２に沿って下方に延びる固定柱部１１Ｂ，１１Ｂとを有するものである。固定柱部１１Ｂに上下方向において足載せ部材１２（図５（ａ）参照）が位置調整可能に設けられる。
【００３０】
固定柱部１１Ｂは、図５（ｂ）に示すように、一定間隔で複数の係合凹部１１Ｂａが形成されている。
【００３１】
足載せ部材１２は、足載せ部１２Ａと、可動部１２Ｂとを備える。足載せ部１２Ａは、弾性変形可能である断面矩形状の線状材で形成され、平面視でコの字形の本体部１２Ａａと、その両端部より互いに反対方向に延びる係合部１２Ａｂとを有する。可動部１２Ｂは、被係合孔１２Ｂａを有し、係合凹部１１Ｂａに対応するねじ孔１２Ｂｂが形成されている。
【００３２】
足載せ部１２Ａは、係合部１２Ａｂが係脱可能に被係合孔１２Ｂａに挿入されることで、可動部１２Ｂに取り外し可能に取り付けられる。よって、足載せ部材１２の一部である足載せ部１２Ａを、それの弾性変形を利用して、必要に応じて、可動部１２Ｂより取り外すことができる。
【００３３】
可動部１２Ｂは、係合凹部１１Ｂａに対応して設けられるねじ孔１２Ｂａと、ねじ孔１２Ｂｂにねじ込まれるロックねじ１３とを有し、固定柱部１１Ｂの外側に移動可能に嵌められている。これにより，可動部１２Ｂは、上下方向において位置調整可能である。そして、ロックねじ１３の先端部を係合凹部１１Ｂａに係合させることで、可動部１２Ｂが、固定柱部１１Ｂに移動不能にロックされるようになっている。
【００３４】
本体部１１Ａは、便器本体２と便座３との間に挟まれるので、固定柱部１１Ｂ，１１Ｂを介して連結される足載せ部材１２の支持安定性が向上する。
（第３の実施の形態）
図６は子供用排便補助具の第３の実施の形態を示す斜視図、図７は前記第３の実施の形態における固定部材の上部の支持状態を示す説明図、図８は前記固定部材の固定柱部への足載せ部材の係合状態を示す説明図である。
【００３５】
図６に示すように、子供用排便補助具５Ｃの固定部材は、左右の固定柱部２１，２１を有し、左右の固定柱部２１，２１、便器本体２前部の左右両側において、上下方向に延びている。各固定柱部２１は、中空柱状で、複数の係止穴２１ａ（被係合部）が上下方向に一定間隔で形成されている。各固定柱部２１は、図７に示すように、上端に被係止片２２が後方に突出するように固定され、被係止片２２を便器本体２と便座３との間に挟むことで上端部を支持させるようになっている。また、下端部には、支持脚２３がねじ込まれ、固定柱部２１へのねじ込み量を変えることで固定柱部２１の上下方向の長さを調整できるようになっている。
【００３６】
足載せ部材２４は、弾性変形可能である線材で形成され、コの字形状の本体部２４Ａと、本体部２４Ａの端部に設けられ係止穴２１ａに取り外し可能に係止される係止爪部２４Ｂとを有し、それらが一体に形成されている。係止爪部２４Ｂ，２４Ｂと係止穴２１ａ，２１ａとの係合関係で、図８に示すように、各固定柱部２１に対し足載せ部材２４が取り外し可能にかつ上下方向において位置調整可能に取り付けられる。
（第４の実施の形態）
図９は第４の実施の形態の全体構造を示す説明図、図１０（ａ）は固定部材の固定柱部と可動部材との関係を示す説明図、図１０（ｂ）は図５（ａ）のＡ−Ａ線における断面図である。
【００３７】
図９に示すように、固定部材の固定柱部３１は、表面に貼り付けられている表面部材３２を有する。表面部材３２には、左右方向に延びる、複数の係合溝３２ａが上下方向に一定間隔で列状に形成されている貼り付けられている。
【００３８】
足載せ部材３３は、前述した平面視でコの字形状の足載せ部１２Ａ（図５（ａ）参照）と、被係合孔３３Ａａを有し係合部１２Ｂが矩形状の被係合孔３３Ａａに係脱可能に係合される可動部３３Ａとを有する。よって、足載せ部材３３の一部である足載せ部１２Ａを、それの弾性変形を利用して、必要に応じて、可動部３３Ａより取り外すことができる。
【００３９】
可動部３３Ａは、図１０（ａ）（ｂ）に示すように、筒状で、固定柱部３１の外側に移動可能に挿入され、上下方向の移動で表面部材３２の係合溝３２ａに係脱可能に弾性的に係合する係合部材３４を有する。
【００４０】
具体的には、可動部３３Ａは、係合部材３４を回転可能に支持する支持部３３Ａｂが設けられている。係合部材３４は、一端部に係合爪３４ａが設けられ、他端部側において可動部３３Ａとの間にスプリング３５が設けられ、係合爪３４ａが係合溝３２ａに係合する側に常時付勢されるようになっている。
【００４１】
よって、係合部材３４の他端部をスプリング３５の付勢力に抗して押すことで、係合爪３４ａと係合溝３２ａとの係合が解除され、可動部３３Ａを固定柱部３１に沿って移動させることができる。この可動部３３Ａの移動によって、足載せ部材３３を上下方向において位置調整できる。
【００４２】
また、図１１（ａ）（ｂ）に示すように、固定柱部４１（固定部材）と可動部４２（足載せ部材）を構成することも可能である。
【００４３】
この場合、固定柱部４１は円柱状または円筒状で、可動部４２は、固定柱部４１の外側に移動可能に挿入される本体部４３と、本体部４３に回転可能に支持され押圧突部４４ａを有する回転レバー部４４とを有する。そして、可動部４２は、回転レバー部４４の回転により、押圧突部４４ａが本体部４３の舌片部４３ａ（上端部がフリーで下端部が本体部４３に結合している）を固定柱部４１の外側面に押し付けて可動部４２を移動不能となるロック状態と、押圧突部４４ａによる本体部４３の舌片部４３ａへの押し付けを解除して可動部４２が固定柱部４１の外側を移動可能となるスライド状態とを選択的に取り得る。本体部４３には、足載せ部１２Ａの係合部１２Ａｂが係脱可能に挿入される矩形状の被係合孔４３ｂが形成され、足載せ部１２Ａを弾性変形させることで係合部１２Ａｂを被係合孔４３ｂに挿入することにより、足載せ部１２Ａが可動部４２に取り付けられるようになっている。
【００４４】
本発明は、前述した実施の形態に制限されることなく、特許請求の範囲に記載された範囲内で、種々の変更が可能である。
【符号の説明】
【００４５】
１  洋式便器
２  便器本体
３  便座
４  蓋
５  子供用排便補助具
６  固定部材
６Ａ  第１の線状部
６Ｂ  第２の線状部
６Ｂａ  中央部
６Ｂｂ  湾曲端部
６Ｃ  被係合部
７  足載せ部材
７Ａ  本体部
７Ｂ  係合部
７Ｂａ  係合端部
７Ｂｂ  湾曲部
１１  固定部材
１１Ａ  本体部
１１Ｂ  固定柱部
１１Ｂａ  係合凹部
１２  可動部材
１２Ａ  足載せ部
１２Ａａ  本体部
１２Ａｂ  係合部
１２Ｂ  可動部
１２Ｂａ  被係合孔
１２Ｂｂ  ねじ孔
１３  ロックねじ
２１  固定柱部
２１ａ  係止孔
２２  被係止片
２３  支持脚
２４  足載せ部材
２４Ａ  足載せ部
２４Ｂ  係止爪部
３１  固定柱部
３２  表面部材
３２ａ  係合溝
３３  足載せ部材
３３Ａ  足載せ部
３３Ｂ  可動部
３３Ｂａ  被係合孔
３３Ｂｂ  支持部
３４  係合部材
３４ａ  係合爪
３５  スプリング
４１  固定柱部
４２  可動部
４３  本体部
４３ａ  舌片部
４３ｂ  係合孔
４４  回転レバー部
４４ａ  押圧突部
【図１】
2017070615.tif 000003
【図２】
2017070615.tif 000004
【図３】
2017070615.tif 000005
【図４】
2017070615.tif 000006
【図５】
2017070615.tif 000007
【図６】
2017070615.tif 000008
【図７】
2017070615.tif 000009
【図８】
2017070615.tif 000010
【図９】
2017070615.tif 000011
【図１０】
2017070615.tif 000012
【図１１】
2017070615.tif 000013